(57)【特許請求の範囲】
【請求項１】
折り畳み可能な紙製のハンガーディスプレイであって、
第１トレイと、
前記第１トレイの下方に位置する第２トレイと、
前記第１トレイ及び前記第２トレイにそれぞれ回動可能に軸支される連結板と、を備え、
前記第２トレイが、
側壁と、
前記側壁から罫線を挟んで上方に延在し、前記罫線を境として前記側壁の内側に折り返されるフラップと、
前記フラップと前記罫線の一部を共有して前記側壁の下方に切り込まれた切欠きと、を有し、
前記連結板が、前記第２トレイに対して直立するとき、前記連結板の下端部において、前記切欠きに嵌合されることを特徴とするハンガーディスプレイ。
【請求項２】
前記フラップが前記側壁の内側に折り返されて重ねられたとき、
前記連結板が、
前記連結板の下端部に設けられた長手方向に延在する長孔と、
前記フラップに設けられた第１ピン穴とに挿通されたピンにより軸支されることを特徴とする請求項１に記載のハンガーディスプレイ。
【請求項３】
前記第２トレイが、前記罫線の一部を共有して前記側壁の下方に切り込まれ、前記フラップに引き続いて前記罫線の一部を境として前記側壁の内側に折り返される切欠き形成片を有し、
前記切欠きが、前記切欠き形成片が折り返された跡に形成されることを特徴とする請求項１に記載のハンガーディスプレイ。
【請求項４】
前記フラップ及び前記切欠き形成片が前記側壁の内側に折り返されて重ねられたとき、
前記連結板が、
前記連結板の下端部に設けられた長手方向に延在する長孔と、
前記フラップに設けられた第１ピン穴と、
前記切欠き形成片にあって前記罫線を挟んで前記第１ピン穴と等距離の対向する位置に設けられた第２ピン穴とに挿通されたピンにより軸支されることを特徴とする請求項３に記載のハンガーディスプレイ。
【請求項５】
前記連結板が、前記連結板の下端部において前記切欠きに嵌合されたとき、前記下端部の側縁が前記罫線上における側端を含めた前記切欠きの側縁の範囲内に当接することにより、その回動を規制されることを特徴とする請求項１から４のいずれか１項に記載のハンガーディスプレイ。
【発明の詳細な説明】
【技術分野】
【０００１】
本発明は、ハンガーディスプレイに関し、さらに詳しくは折り畳み可能なハンガーディスプレイに関する。
【背景技術】
【０００２】
従来、店舗内に設置する商品の陳列棚などとして、折り畳み可能な紙製のハンガーディスプレイが知られている。例えば、ハンガーディスプレイは、広告板に吊り下げられ、連結板などで上下に連結された複数のトレイから構成されており、上／下の二段、上／中／下の三段又はそれ以上の段数のものがある。各段のトレイには、種々の商品、例えばアルコール類を含む飲料、菓子類、化粧品類、各種の生活用品類が載置される。ハンガーディスプレイは、通常の陳列棚に引っ掛けて吊り下げることができるため店舗内のスペースの有効利用に役立つとともに、消費者のアイキャッチ効果も期待できることから、多いに利用されている。
【０００３】
ただ、複数のトレイが固定的に連結されていない折り畳み可能なハンガーディスプレイでは、吊り下げられた展示状態において、消費者が各トレイから商品を購買して各トレイの商品の品数が変化してくると上下の重量バランスが崩れ、下段側のトレイが上段側のトレイと連結する連結板の軸を中心として回転してしまい、商品を安定して展示できなくなるという問題があった。
【０００４】
このような問題への対策の例として、例えば特許文献１に開示されたものがある。特許文献１は、上下一対のトレイの各側面間を連結板で相互移動及び回転自在に連結したうえで、連結板に吊下展示状態で下段のトレイの側壁上縁に係合するフックを設け、その係合により下段のトレイの回動を防止する発明を開示している。
【０００５】
しかしながら、特許文献１に示された発明では、フックが下段のトレイの側壁よりも内側にはみ出しており、そのはみ出しを抑制する手段も施されていないことから、商品の出し入れの際に引っ掛かり易いという問題や、側面視したとき、フックの開放側に外力が加わると下段のトレイの側壁がフックから外れてしまい、同方向の回動を規制することが困難という問題があった。
【先行技術文献】
【特許文献】
【０００６】
【特許文献１】特開平１０−２１５９８７号公報
【発明の概要】
【発明が解決しようとする課題】
【０００７】
そこで、本発明は、以上のような事情に鑑みてなされたものであり、その目的は、トレイからの商品の出し入れに影響を与えず、側面視したとき、時計回り／反時計回りの両方についてトレイの回動が規制可能なハンガーディスプレイを提供することにある。
【課題を解決するための手段】
【０００８】
本発明は、上記目的を達成するために、以下の構成によって把握される。
（１）本発明に係る第１の観点は、ハンガーディスプレイであって、第１トレイと、前記第１トレイの下方に位置する第２トレイと、前記第１トレイ及び前記第２トレイにそれぞれ回動可能に連結される連結板と、を備え、前記第２トレイが、側壁と、前記側壁から罫線を挟んで上方に延在し、前記罫線を境として前記側壁の内側に折り返されるフラップと、前記罫線の一部を共有して前記側壁の下方に切り込まれた切欠きと、を有し、前記連結板が、前記第２トレイに対して直立するとき、その下端部において、前記切欠きに嵌合されることを特徴とする。
【０００９】
（２）上記（１）の構成において、前記フラップが前記側壁の内側に折り返されて重ねられたとき、前記連結板が、前記連結板の下端部に設けられた長手方向に延在する長孔と、前記フラップに設けられた第１ピン穴とに挿通されたピンにより軸支されてもよい。
【００１０】
（３）上記（１）の構成において、前記第２トレイが、前記罫線の一部を共有して前記側壁の下方に切り込まれ、前記フラップに引き続いて前記罫線の一部を境として前記側壁の内側に折り返される切欠き形成片を有し、前記切欠きは、前記切欠き形成片が折り返された跡に形成されてもよい。
【００１１】
（４）上記（３）の構成において、前記フラップ及び前記切欠き形成片が前記側壁の内側に折り返されて重ねられたとき、前記連結板が、前記連結板の下端部に設けられた長手方向に延在する長孔と、前記フラップに設けられた第１ピン穴と、前記切欠き形成片にあって前記罫線を挟んで前記第１ピン穴と等距離の対向する位置に設けられた第２ピン穴とに挿通されたピンにより軸支されてもよい。
【００１２】
（５）上記（１）から（４）のいずれか１つの構成において、前記連結板は、その下端部において前記切欠きに嵌合されたとき、前記下端部の側縁が前記罫線上における側端を含めた前記切欠きの側縁の範囲内に当接することにより、その回動を規制されてもよい。
【発明の効果】
【００１３】
本発明によれば、トレイからの商品の出し入れに影響を与えず、側面視したとき、時計回り／反時計回りの両方についてトレイの回動が規制可能なハンガーディスプレイを提供することができる。
【図面の簡単な説明】
【００１４】
【図１】本発明の実施形態に係るハンガーディスプレイを示す図であって、（ａ）はトレイが上／中／下の三段である場合の斜視図、（ｂ）は（ａ）のうち、中段と下段のトレイと連結板との関係を抜書きした側面図である。
【図２】図１のうち、（ａ）は連結板の展開図、（ｂ）は広告板の展開図である。
【図３】図１のうち、上段トレイの展開図である。
【図４】図１のうち、中段トレイ又は下段トレイの展開図である。
【図５Ａ】中段トレイ又は下段トレイを組み立てる手順を示す図であって、（ａ）はフラップと切欠き形成片が折り返される前の状態、（ｂ）は左側のフラップ及び切欠き形成片が水平の位置に折り返された状態、（ｃ）は左右のフラップが側壁の内側に密着するまで折り返され、切欠き形成片が起立した状態、（ｄ）は左側の切欠き形成片がフラップに重なるように折り返された状態、（ｅ）は左右の切欠き形成片がフラップに重なるように折り返され、左側の切欠きに連結板の下端部が係合された状態をそれぞれ示す図である。
【図５Ｂ】（ａ）〜（ｅ）は、図５Ａ（ａ）〜（ｅ）に対応して、側壁、フラップ及び切欠き形成片の折り返し状態を示す断面図である。
【図６】中段トレイと連結板の関係を示す図である。
【図７】図６における側壁の上部と連結板の下端部との関係を拡大して示す図である。
【図８】切欠き及び連結板の下端部の変形例である。
【発明を実施するための形態】
【００１５】
以下、添付図面を参照して、本発明を実施するための形態（以下、実施形態という）について詳細に説明する。なお、実施形態の説明の全体を通して同じ要素には同じ番号を付している。
【００１６】
（実施形態）
まず、図１（ａ）及び図１（ｂ）を参照しつつ、ハンガーディスプレイ１の全体構成について説明する。ハンガーディスプレイ１は、図１（ａ）に示すように、広告板１０と、上段トレイ２０と、中段トレイ３０と、下段トレイ４０と、広告板１０と上段トレイ２０を締結する紐（締結部材）５０と、上段トレイ２０と中段トレイ３０及び中段トレイ３０と下段トレイ４０とを連結する連結板６０と、を備えている。図１（ａ）では、トレイを上／中／下の三段に設けた例を示しているが、後述するように、本実施形態は、トレイを上／下の二段、上／中の上／中の下／下の四段又はそれ以上とした場合にも適用できるものである。
【００１７】
なお、本明細書では、上方にあるトレイを第１トレイと、第１トレイの下方に位置するトレイを第２トレイということがある。例えば、図１（ａ）において、上段トレイ２０及び中段トレイ３０をそれぞれ第１トレイ及び第２トレイと、中段トレイ３０及び下段トレイ４０をそれぞれ第１トレイ及び第２トレイと、いうが如きである。換言すると、第１トレイは、最上段に位置するときは上段トレイ２０に該当し、そうでないときは中段トレイ３０に該当する。トレイを上／下の二段、上／中の上／中の下／下の四段又はそれ以上とした場合も、同様である。
【００１８】
広告板１０は、その表面に商品の内容が表示されるものであって、広告板１０の上部に設けられた一対の貫通穴１１に挿通された締結部材としての紐５０によって陳列棚等に設けたフック（不図示）に吊り下げられる。広告板１０は、紐５０によって、上段トレイ２０と締結されている。
【００１９】
上段トレイ２０は、側壁２２の上部に紐５０を挿通するための一対の貫通穴２２１を有しており、広告板１０と締結されている。ここでは、上段トレイ２０として前後方向にある程度の幅がある場合を想定し、吊り下げのバランスを取るため、側壁２２の貫通穴２２１を前後に一対設けた例を示しているが、前後方向の幅が狭い上段トレイ２０であれば、貫通穴２２１は１つとしてもよい。上段トレイ２０は、側壁２２の下部において、連結板６０によって中段トレイ３０と連結されている。
【００２０】
中段トレイ３０は、側壁３２の上部において、連結板６０によって上段トレイ２０と連結されるとともに、側壁３２の下部において、もう１つの連結板６０によって下段トレイ４０と連結されている。下段トレイ４０は、側壁４２の上部において、もう１つの連結板６０によって中段トレイ３０と連結されている。
【００２１】
連結板６０は、上段トレイ２０と中段トレイ３０、及び中段トレイ３０と下段トレイ４０とをそれぞれ連結する部材である。各トレイと連結板６０の関係について、中段トレイ３０と下段トレイ４０の場合を抜き出して描画した図１（ｂ）を参照して説明すると、ここでは、連結板６０は、長手方向に長円状の形状（上端部６１及び下端部６２が略Ｕ字状）を有した例を示しており、上端部６１及び下端部６２に一対の長孔６３を有している。連結板６０は、上端部６１の長孔６３を介してピン７０で中段トレイ３０の側壁３２に回動可能に軸支され、下端部６２の長孔６３を介してピン７０で下段トレイ４０の側壁４２に回動可能に軸支される。そして、詳しくは後述するが、連結板６０は、下段トレイ４０（すなわち、第２トレイ）に対し直立したとき、下段トレイ４０の側壁４２に設けられた切欠き４２４に嵌合され、その回動が規制されるようになっている。
【００２２】
以上の要素について、それぞれの展開図を用いて、各別に説明する。
【００２３】
連結板６０は、図２（ａ）に示すように、ハンガーディスプレイ１を構成する素材を所定の形状（ここでは、前述のとおり一対の長円状の例）に切り抜き、長手方向の罫線Ｒ１に沿い折り返して貼着することによって、素材の２枚分の厚みを有するように構成される。これにより、連結板６０の強度が高まるとともに、後述するように、中段トレイ３０の側壁３２又は下段トレイ４０の側壁４２に形成された切欠き３２４又は切欠き４２４が素材の１枚分の厚さで構成されるので、連結板６０が切欠き３２４又は切欠き４２４に嵌合したときに回動の規制を一層確実とすることができる。
【００２４】
広告板１０は、図２（ｂ）に示すように、ハンガーディスプレイ１を構成する素材を所定の形状（ここでは、一対の方形状）に切り抜き、短手方向の罫線Ｒ２に沿い折り返して部分的に貼着することによって、素材の２枚分の厚みを有するように構成される。これにより、広告板１０の強度が高まるとともに、裏面１０ｂの側縁の中間位置であって貼着されていない箇所に貫通穴１２と切込み１３を設けることができ、締結部材である紐５０を貫通穴１２を経由して切込み１３に巻き取ることによって、ハンガーディスプレイ１の吊り下げ位置を調整することができる。
【００２５】
上段トレイ２０は、図３に示すように、前壁２１を中心として、その両端に一対の側壁２２と、一方の側壁２２から延在する後壁２３と、後壁２３から側方に延在する継代片２７と、が設けられている。前壁２１と後壁２３の下方には底板２４のうち一対の主底板２４１が、一対の側壁２２の下方には底板２４のうち一対の副底板２４２がそれぞれ延在しており、上段トレイ２０が組み立てられたとき、一対の主底板２４１及び一対の副底板２４２が噛み合わされて、底板２４を構成する。
【００２６】
前壁２１の上方には、組み立てられたときに内側に折り返されて底板２４に重ねられる敷板２５がつなぎ部２５１を経由して延在している。これにより、噛み合わされている底板２４を補強するとともに、トレイの組み立て後の輪郭を確かなものとする。なお、上段トレイ２０が組み立てられたとき、敷板２５の差込み片２５ａは後壁２３の差込み穴２３ａに、フラップ２６の差込み片２６ｂ，２６ｃは同じく後壁２３の差込み穴２３ｂ，２３ｃに、それぞれ差し込まれる。
【００２７】
一対の側壁２２の上方には、組み立てられたときに内側に折り返されて側壁２２に重ねられる一対のフラップ２６が延在しており、側壁２２の上部とフラップ２６には、罫線Ｒ３を挟んで等距離の対向する位置に一対の貫通穴２２１が設けられている。側壁２２の上部とフラップ２６が重ねられることにより、紐５０を貫通穴２２１に挿通して広告板１０と締結し、陳列棚等に吊り下げたときに、商品の重量に対する耐性が補強されることとなる。一方、側壁２２の下部には、連結板６０を軸支するためのピン７０を挿通するための貫通穴２２２が設けられている。
【００２８】
なお、後壁２３の側方に延在している継代片２７は、上段トレイ２０が組み立てられてとき、側壁２２とフラップ２６の間に挟まれるように折り返される。
【００２９】
中段トレイ３０は、図４に示すように、前壁３１と、一対の側壁３２と、後壁３３と、底板３４と、敷板３５と、側壁３２から上方に延在する一対のフラップ３６と、後壁３３から側方に延在する継代片３７と、を有している。中段トレイ３０は、側壁３２及びフラップ３６の構成が異なる点以外は上段トレイ２０と同じ構成であるので、異なる点のみについて説明する。
【００３０】
中段トレイ３０の側壁３２には、罫線Ｒ４の一部をフラップ３６と共有し、側壁３２の下方に切り込まれた切欠き形成片３８が設けられている。後述するように、切欠き形成片３８は、中段トレイ３０が組み立てられたとき、フラップ３６に引き続いて罫線Ｒ４の一部を境として側壁３２の内側に折り返される。フラップ３６及び切欠き形成片３８には、罫線Ｒ４を挟んで等距離の対向する位置にあって、上段トレイ２０と連結する連結板６０を軸支するピン７０を挿通する貫通穴である第１ピン穴３２１ａ及び第２ピン穴３２１ｂがそれぞれ設けられている。一方、側壁３２の下部には、下段トレイ４０と連結する連結板６０を軸支するためのピン７０を挿通するための貫通穴３２２が設けられている。
【００３１】
下段トレイ４０は、中段トレイ３０と同様の構成とすることができるので、その説明は省略する。
【００３２】
次に、以上の構成に基づいて、中段トレイ３０（下段トレイ４０も同じ）と連結板６０の取り付け方及び連結板６０の回動が規制される点について、図５Ａ、図５Ｂ、図６及び図７を参照して、説明する。
【００３３】
図５Ａ（ａ）は、フラップ３６及び切欠き形成片３８を残して、既に組み立てらた中段トレイ３０を示している。フラップ３６及び切欠き形成片３８は左右対称に設けられているので、ここでは左側について説明するが、適宜、右側の状態も参照されたい。まず、図５Ａ（ｂ）に示すように、例えば左側のフラップ３６を罫線Ｒ４に沿って側壁３２の内側に向かって水平の位置まで折り返す。そうすると、連動して、側壁３２に切り込まれている切欠き形成片３８が水平の位置まで立ち上がってくる。そして、切欠き形成片３８が折り返された跡には、中段トレイ３０を構成する素材の１枚分の厚みを有する切欠き３９が出現する。
【００３４】
引き続いて、図５Ａ（ｃ）に示すように、フラップ３６を側壁３２の内側に密着するまで折り返すと、切欠き形成片３８は、上方に向かって起立する。さらに、図５Ａ（ｄ）に示すように、切欠き形成片３８を既に側壁３２の内側に密着しているフラップ３６に重なるように罫線Ｒ４に沿って折り返す。この状態で、フラップ３６の第１ピン穴３２１ａと切欠き形成片３８の第２ピン穴３２１ｂは連通することになる。そして、このように形成された切欠き３９に、図５Ａ（ｅ）に示すように、素材の２枚分の厚みを有する連結板６０の下端部６２を嵌合する。
【００３５】
以上の各ステップを、図５Ａ（ａ）〜（ｅ）に対応させて、図５Ａ（ａ）のａ−ａ線に沿った断面で示すと、図５Ｂ（ａ）〜（ｅ）のようになる。このように、フラップ３６と切欠き形成片３８は、連動して折り返されることで、切欠き３９を容易に設けることができるとともに、それぞれの第１ピン穴３２１ａ及び第２ピン穴３２１ｂが連通するように側壁３２の内側に折り返されるため、連結板６０を軸支するピン７０を挿通するにあたって支持強度を補強することができる。
【００３６】
さて、このようにして切欠き３９に嵌合された連結板６０の回動の規制について、図６及び図７を参照して説明する。図６は、上段トレイ２０と連結する上方の連結板６０と、下段トレイ２０と連結する下方の連結板６０の両方を取り付けた中段トレイ３０を側面視で示している。図７は、図６のうち、上段トレイ２０と連結する上方の連結板６０の部分を拡大して示している。
【００３７】
図６及び図７に示すように、下端部６２において切欠き３９に嵌合されている上方の連結板６０が、中段トレイ３０に対して直立している状態（破線で示す）から、ハンガーディスプレイ１に陳列されている商品が増減したなどの理由により、例えば矢印に示す如く反時計回りに回動しようとすると（二点鎖線で示す）、連結板６０の下端部６２の左側の側縁６２ａが罫線Ｒ４上における切欠き３９の側端３９ａに当接することにより、その回動が規制される。時計回りに回動しようとする場合には、連結板６０の下端部６２の右側の側縁６２ａが罫線Ｒ４上における切欠き３９の側端３９ａに当接することになる。
【００３８】
ここで、図６では、連結板６０が反時計回りに回動しようとすると、連結板６０の下端部６２の左側の側縁６２ａが罫線Ｒ４上における切欠き３９の側端３９ａに当接するだけではなく、連結板６０の下端部６２の右側の隅部６２ｂも切欠き３９の内部において当接し、この箇所でも回動を規制しているように見えるが、そうではない。連結板６０を拡大した図７に示すように、連結板６０の下端部６２の右側の隅部６２ｂは、切欠き３９の角部３９ｂにおいて当接しておらず、連結板６０の下端部６２の左側の側縁６２ａが罫線Ｒ４上における切欠き３９の側端３９ａに当接するだけでその回動を規制されている。
【００３９】
この点、本発明者は、種々の検討を重ねた結果、連結板６０の下端部６２の側縁６２ａの隅部６２ｂが切欠き３９の角部３９ｂにおいて当接しなくても、十分に連結板６０の回動を規制できること、すなわち、連結板６０の下端部６２の側縁６２ａが罫線Ｒ４上における切欠き３９の側端３９ａに当接するだけで十分に回動を規制できることを、確認した。
【００４０】
例えば、図８を参照すると、切欠き３９及び連結板６０の下端部６２ともに略Ｕ字状の形状をしている図８（ａ）のほかにも、例えば、図８（ｂ）のように変形させ、略Ｕ字状の切欠き３９に対し、連結板６０の下端部６２の隅部６２ｂを切り欠いても、問題ないことが確認された。そして、このような場合でも、略Ｕ字状の切欠き３９に対し、連結板６０の下端部６２の側縁６２ａが罫線Ｒ４上における切欠き３９の側端３９ａに当接することが確保される。隅部６２ｂの形状は任意とすることができるが、例えば、連結板６０の下端部６２を略Ｕ字状の仮想輪郭線をもつようにしてもよい。
【００４１】
さらには、切欠き３９及び連結板６０の下端部６２ともに略Ｕ字状の形状に限る必要はなく、例えば、図８（ｃ）に示すように、切欠き３９及び連結板６０の下端部６２ともに矩形状としたり、又は図８（ｄ）に示すように、矩形状の切欠き３９に対し、連結板６０の下端部６２を略Ｕ字状の形状としたりしても、問題ない。やはり、このような場合でも、連結板６０の下端部６２の側縁６２ａが罫線Ｒ４上における切欠き３９の側端３９ａに当接することが確保される。この場合も、隅部６２ｂの形状は任意とすることができるが、例えば、連結板６０の下端部６２を矩形状の仮想輪郭線をもつようにしてもよい。
【００４２】
またさらには、図８（ｅ）に示すように、例えば、連結板６０の下端部６２において切欠き３９の側端３９ａを挟む位置を切り欠いて凹部６２ｄを設け、凹部６２ｄの下側の端部６２ｃが切欠き３９の側端３９ａから下方に向かう側縁３９ｃにおいて当接するようにしてもよい。つまり、上記の実施形態及び各変形例をまとめると、連結板６０の下端部６２の側縁６２ａが罫線上Ｒ４における側端３９ａを含めた切欠き３９の側縁３９ｃの範囲内に当接することにより、連結板６０は、その回動が規制されることとなる。
【００４３】
以上説明したような実施形態及び変形例によれば、トレイからの商品の出し入れに影響を与えず、側面視したとき、時計回り／反時計回りの両方についてトレイの回動が規制可能なハンガーディスプレイを提供することができる。
【００４４】
ところで、上記の実施形態及び変形例では、切欠き３９は、切欠き形成片３８を折り返すことによってその跡に形成されるものとして説明してきたが、第２トレイ３０の側壁３２にあらかじめ切り抜いた開口部として設定しておいてもよい。このようにしても、素材１枚分の厚みの切欠き３９を用意することができ、連結板６０の下端部６２を嵌合することができる。そして、この場合でも、前述したように、連結板６０の下端部６２の側縁６２ａが罫線上Ｒ４における側端３９ａを含めた切欠き３９の側縁３９ｃの範囲内に当接することにより、連結板６０は、その回動が規制されることとなる。なお、この場合、連結板６０は、その長孔６３とフラップ３６の第１ピン穴３２１ａとに挿通されたピン７０により軸支されることとなる。
【００４５】
以上、実施形態について説明したが、本発明は、具体的な実施形態に限定されるものではなく、種々の変更を行ったものも含まれるものであり、そのことは、当業者にとって特許請求の範囲の記載から明らかである。
【符号の説明】
【００４６】
１…ハンガーディスプレイ
１０…広告板、１１，１２…貫通穴、１３…切込み
２０…上段トレイ、２１…前壁、２２…側壁、２２１，２２２…貫通穴、２３…後壁、２３ａ，２３ｂ，２３ｃ…差込み穴、２４…底板（２４１…主底板、２４２…副底板）、２５…敷板、２５ａ，２６ｂ，２６ｃ…差込み片、２６…フラップ、２７…継代片
３０…中段トレイ、３１…前壁、３２…側壁、３２１ａ…第１ピン穴、３２１ｂ…第２ピン穴、３２２…貫通穴、３３…後壁、３４…底板、３５…敷板、３６…フラップ、３７…継代片、３８…切欠き形成片、３９…切欠き、３９ａ…側端、３９ｂ…角部、３９ｃ…側縁
４０…下段トレイ
５０…紐（締結部材）
６０…連結板、６１…上端部、６２…下端部、６２ａ…側縁、６２ｂ…隅部、６３…長孔
７０…ピン
Ｒ１、Ｒ２，Ｒ３，Ｒ４…罫線
【図１】
0006673569.tif 000002
【図２】
0006673569.tif 000003
【図３】
0006673569.tif 000004
【図４】
0006673569.tif 000005
【図５Ａ】
0006673569.tif 000006
【図５Ｂ】
0006673569.tif 000007
【図６】
0006673569.tif 000008
【図７】
0006673569.tif 000009
【図８】
0006673569.tif 000010